【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
処理を実行する処理手段を備えた情報処理装置であって、
ネットワーク上の外部装置に備えられたウェブアプリケーションにアクセスするアクセス手段と、
前記処理手段により実行される処理が、前記アクセス手段がアクセスしたウェブアプリケーションからの要求に従って実行される処理であるか否かに応じて異なる通知方法を選択する選択手段と、
前記選択手段により選択された通知方法を用いて、前記処理手段により実行される処理に関する情報を通知する通知手段と、
を備えることを特徴とする情報処理装置。
【請求項２】
前記通知手段は、前記処理手段により実行される処理に関する情報を、表示手段に表示させることにより通知することを特徴とする請求項１に記載の情報処理装置。
【請求項３】
前記処理手段は、前記外部装置に備えられたウェブアプリケーションを介さない、前記情報処理装置が備えるローカルアプリケーションからの要求に従って処理を実行することが可能であって、
前記選択手段は、前記処理手段により実行される処理が、前記アクセス手段がアクセスしたウェブアプリケーションからの要求に従って実行される処理であるか、または前記ローカルアプリケーションからの要求に従って実行される処理であるかに応じて異なる通知方法を選択することを特徴とする請求項１または２に記載の情報処理装置。
【請求項４】
前記選択手段は、前記処理手段により実行される処理が、前記アクセス手段がアクセスしたウェブアプリケーションからの要求に従って実行される処理である場合は、前記処理手段により実行される処理に関する情報を詳細通知する方法を選択し、前記ローカルアプリケーションからの要求に従って実行される処理である場合は、前記処理手段により実行される処理に関する情報を簡易通知する方法を選択することを特徴とする請求項３に記載の情報処理装置。
【請求項５】
前記選択手段は、前記処理手段により実行される処理が、前記アクセス手段がアクセスしたウェブアプリケーションからの要求に従って実行される処理であるか、または前記アクセス手段がアクセスしたウェブアプリケーション以外のウェブアプリケーションからの要求に従って実行される処理であるかに応じて異なる通知方法を選択することを特徴とする請求項１または２に記載の情報処理装置。
【請求項６】
前記選択手段は、前記処理手段により実行される処理が、前記アクセス手段がアクセスしたウェブアプリケーションからの要求に従って実行される処理である場合は、前記処理手段により実行される処理に関する情報を詳細通知する方法を選択し、前記アクセス手段がアクセスしたウェブアプリケーション以外のウェブアプリケーションからの要求に従って実行される処理である場合は、前記処理手段により実行される処理に関する情報を簡易通知する方法を選択することを特徴とする請求項５に記載の情報処理装置。
【請求項７】
処理を実行する処理手段を備えた情報処理装置であって、
ネットワーク上の外部装置に備えられたウェブアプリケーションにアクセスするアクセス手段と、
前記処理手段により実行される処理が、前記アクセス手段がアクセスしたウェブアプリケーションからの要求に従って実行される処理である場合に、当該実行される処理に関する情報を通知し、前記処理手段により実行される処理が、前記アクセス手段がアクセスしたウェブアプリケーションからの要求に従って実行される処理でない場合に、当該実行される処理に関する情報を通知しない通知手段と、
を備えることを特徴とする情報処理装置。
【請求項８】
前記処理手段は、前記外部装置に備えられたウェブアプリケーションを介さない、前記情報処理装置が備えるローカルアプリケーションからの要求に従って処理を実行することが可能であって、
前記通知手段は、前記処理手段により実行される処理が、前記アクセス手段がアクセスしたウェブアプリケーションからの要求に従って実行される処理である場合は、当該実行される処理に関する情報を通知し、前記ローカルアプリケーションからの要求に従って実行される処理である場合は、当該実行される処理に関する情報を通知しないことを特徴とする請求項７に記載の情報処理装置。
【請求項９】
前記通知手段は、前記処理手段により実行される処理が、前記アクセス手段がアクセスしたウェブアプリケーションからの要求に従って実行される処理である場合は、当該実行される処理に関する情報を通知し、前記アクセス手段がアクセスしたウェブアプリケーション以外のウェブアプリケーションからの要求に従って実行される処理である場合は、当該実行される処理に関する情報を通知しないことを特徴とする請求項７に記載の情報処理装置。
【請求項１０】
前記処理手段とは、画像データに基づいて記録媒体上に画像を形成する印刷手段であることを特徴とする請求項１から９のいずれか１項に記載の情報処理装置。
【請求項１１】
前記アクセス手段がアクセスしたウェブアプリケーションの識別情報を登録する登録手段を更に備えることを特徴とする請求項１から１０のいずれか１項に記載の情報処理装置。
【請求項１２】
前記アクセス手段による前記ウェブアプリケーションへのアクセスが終了されたことに応じて、前記登録手段により登録された識別情報を削除する削除手段を更に備えることを特徴とする請求項１１に記載の情報処理装置。
【請求項１３】
前記ウェブアプリケーションの識別情報とは、当該ウェブアプリケーションを特定するためのＵＲＬ、または当該ウェブアプリケーションが備えられている外部装置を特定するためのＩＰアドレスであることを特徴とする請求項１１または１２に記載の情報処理装置。
【請求項１４】
前記アクセス手段は、前記情報処理装置が備えるウェブブラウザを介して入力された指示に従って、前記ウェブアプリケーションへのアクセスを行うことを特徴とする請求項１から１３のいずれか１項に記載の情報処理装置。
【請求項１５】
処理を実行する処理手段を備えた情報処理装置の制御方法であって、
アクセス手段が、ネットワーク上の外部装置に備えられたウェブアプリケーションにアクセスするアクセス工程と、
選択手段が、前記処理手段により実行される処理が、前記アクセス工程でアクセスしたウェブアプリケーションからの要求に従って実行される処理であるか否かに応じて異なる通知方法を選択する選択工程と、
通知手段が、前記選択工程で選択された通知方法を用いて、前記処理手段により実行される処理に関する情報を通知する通知工程と、
を実行することを特徴とする情報処理装置の制御方法。
【請求項１６】
処理を実行する処理手段を備えた情報処理装置の制御方法であって、
アクセス手段が、ネットワーク上の外部装置に備えられたウェブアプリケーションにアクセスするアクセス工程と、
通知手段が、前記処理手段により実行される処理が、前記アクセス工程でアクセスしたウェブアプリケーションからの要求に従って実行される処理である場合に、当該実行される処理に関する情報を通知し、前記処理手段により実行される処理が、前記アクセス工程でアクセスしたウェブアプリケーションからの要求に従って実行される処理でない場合に、当該実行される処理に関する情報を通知しない通知工程と、
を実行することを特徴とする情報処理装置の制御方法。
【請求項１７】
請求項１５または１６に記載の情報処理装置の制御方法をコンピュータに実行させるためのプログラム。
【手続補正２】
【補正対象書類名】明細書
【補正対象項目名】発明の名称
【補正方法】変更
【補正の内容】
【発明の名称】情報処理装置及びその制御方法、プログラム
【手続補正３】
【補正対象書類名】明細書
【補正対象項目名】０００１
【補正方法】変更
【補正の内容】
【０００１】
本発明は、外部装置に備えられたウェブアプリケーションからの要求に従って処理を実行する情報処理装置及びその制御方法、プログラムに関するものである。
【手続補正４】
【補正対象書類名】明細書
【補正対象項目名】００２５
【補正方法】変更
【補正の内容】
【００２５】
上記の目的を達成するために本発明の情報処理装置は、処理を実行する処理手段を備えた情報処理装置であって、ネットワーク上の外部装置に備えられたウェブアプリケーションにアクセスするアクセス手段と、前記処理手段により実行される処理が、前記アクセス手段がアクセスしたウェブアプリケーションからの要求に従って実行される処理であるか否かに応じて異なる通知方法を選択する選択手段と、前記選択手段により選択された通知方法を用いて、前記処理手段により実行される処理に関する情報を通知する通知手段と、を備えることを特徴とする。
【手続補正５】
【補正対象書類名】明細書
【補正対象項目名】００２６
【補正方法】変更
【補正の内容】
【００２６】
また、本発明の情報処理装置は、処理を実行する処理手段を備えた情報処理装置であって、ネットワーク上の外部装置に備えられたウェブアプリケーションにアクセスするアクセス手段と、前記処理手段により実行される処理が、前記アクセス手段がアクセスしたウェブアプリケーションからの要求に従って実行される処理である場合に、当該実行される処理に関する情報を通知し、前記処理手段により実行される処理が、前記アクセス手段がアクセスしたウェブアプリケーションからの要求に従って実行される処理でない場合に、当該実行される処理に関する情報を通知しない通知手段と、を備えることを特徴とする。